(57)【特許請求の範囲】
【請求項１】
建物の開口部に設けられる扉であり、当該扉の戸尻側の端部に設けられた丁番によって、当該扉を構成する扉体が回動自在に軸支されている扉であって、
前記扉体を構成する扉体本体の内部に収容されずに外部に配置された前記丁番と、
前記扉体に設けられたカバー手段であって、当該扉体の回動状態に関わらず、前記丁番が前記建物の外側に露出しないように、当該丁番を覆うためのカバー手段と、
前記カバー手段における前記建物の内側の側面に設けられた補強手段であって、当該カバー手段を補強するための補強手段と、を備え、
前記扉体は、
前記扉体本体における前記建物の外側の側面に設けられたパネル体と、を備え、
前記扉体本体における前記建物の外側の側部と、前記パネル体における当該扉の戸尻側の側部とによって囲繞された空間内に、前記丁番の少なくとも一部が収容可能となるように、当該扉体本体及び当該パネル体を段差状に配置し、
前記補強手段を前記扉体本体又は前記パネル体に対して接続した、
扉。
【請求項２】
前記カバー手段と前記補強手段とを、前記パネル体における当該扉の戸尻側の側部において、当該パネル体に対して接続した、
請求項１に記載の扉。
【請求項３】
建物の開口部に設けられる扉であり、当該扉の戸尻側の端部に設けられた丁番によって、当該扉を構成する扉体が回動自在に軸支されている扉であって、
前記扉体を構成する扉体本体の内部に収容されずに外部に配置された前記丁番と、
前記扉体に設けられたカバー手段であって、当該扉体の回動状態に関わらず、前記丁番が前記建物の外側に露出しないように、当該丁番を覆うためのカバー手段と、
前記カバー手段における前記建物の内側の側面に設けられた補強手段であって、当該カバー手段を補強するための補強手段と、を備え、
前記補強手段における前記扉体側の端部とは反対側の端部に、前記カバー手段における前記扉体側の端部とは反対側の端部を係合するための係合手段を設け、
前記カバー手段における前記扉体側の端部とは反対側の端部を、前記係合手段に係合させた、
扉。
【請求項４】
前記扉体は、当該扉体における少なくとも前記建物の外側の一部を覆う化粧板を備え、
前記カバー手段を、前記化粧板と略同一の部材によって形成した、
請求項１から３のいずれか一項に記載の扉。
【発明の詳細な説明】
【技術分野】
【０００１】
本発明は、扉に関する。
【背景技術】
【０００２】
従来、玄関用の扉として、当該扉の扉体を支持するための丁番が建物の外側に露出することを防止することができる扉が普及している。このような扉は、例えば、扉体と、扉体における建物の外側の側面に取り付けられた化粧パネルと、扉体の戸尻側の端部に設けられた丁番であって、扉体を開閉自在に支持する丁番とを備えている。そして、この扉体には、丁番を覆うように配置された円筒状の丁番カバーという単一の部材が設けられており、この丁番カバーが固着手段を介して扉体に対して取り付けられている（例えば、特許文献１参照）。
【先行技術文献】
【特許文献】
【０００３】
【特許文献１】特開２００７−９５１８号公報
【発明の概要】
【発明が解決しようとする課題】
【０００４】
ここで、従来のように丁番カバーが単一の部材で形成されている場合には、例えば、丁番カバーを化粧パネルと略同一の部材で形成することが考えられる。しかしながら、化粧パネルの強度は比較的低いため、このような化粧パネルによって形成された丁番カバーが人や物に当たった場合には、丁番カバーが容易に変形してしまう可能性があるという問題があった。
【０００５】
一方、このような問題を解決するためには、丁番カバーを化粧パネルよりも強度が高い部材（例えば、肉厚のスチール材）で形成することが考えられる。しかしながら、強度が高い部材は化粧パネルと比べて質感（材質、色等）が異なる可能性が高いため、このように強度が高い部材によって形成された丁番カバーとその周囲に配置されている化粧パネル等との意匠上の統一性を図ることが難しくなり、扉の意匠性を低下させる可能性が高いという問題があった。
【０００６】
本発明は、上記従来技術における課題を解決するためのものであって、丁番が建物の外側に露出することを防止することができる扉において、丁番を覆う部分が変形する可能性を低減できると共に、扉の意匠性を向上させることが可能となる、扉を提供することを目的とする。
【課題を解決するための手段】
【０００７】
上述した課題を解決し、目的を達成するために、請求項１に記載の扉は、建物の開口部に設けられる扉であり、当該扉の戸尻側の端部に設けられた丁番によって、当該扉を構成する扉体が回動自在に軸支されている扉であって、前記扉体を構成する扉体本体の内部に収容されずに外部に配置された前記丁番と、前記扉体に設けられたカバー手段であって、当該扉体の回動状態に関わらず、前記丁番が前記建物の外側に露出しないように、当該丁番を覆うためのカバー手段と、前記カバー手段における前記建物の内側の側面に設けられた補強手段であって、当該カバー手段を補強するための補強手段と、を備え、前記扉体は、前記扉体本体における前記建物の外側の側面に設けられたパネル体と、を備え、前記扉体本体における前記建物の外側の側部と、前記パネル体における当該扉の戸尻側の側部とによって囲繞された空間内に、前記丁番の少なくとも一部が収容可能となるように、当該扉体本体及び当該パネル体を段差状に配置し、前記補強手段を前記扉体本体又は前記パネル体に対して接続した。
【０００８】
請求項２に記載の扉は、請求項１に記載の扉において、前記カバー手段と前記補強手段とを、前記パネル体における当該扉の戸尻側の側部において、当該パネル体に対して接続した。
【０００９】
請求項３に記載の扉は、建物の開口部に設けられる扉であり、当該扉の戸尻側の端部に設けられた丁番によって、当該扉を構成する扉体が回動自在に軸支されている扉であって、前記扉体を構成する扉体本体の内部に収容されずに外部に配置された前記丁番と、前記扉体に設けられたカバー手段であって、当該扉体の回動状態に関わらず、前記丁番が前記建物の外側に露出しないように、当該丁番を覆うためのカバー手段と、前記カバー手段における前記建物の内側の側面に設けられた補強手段であって、当該カバー手段を補強するための補強手段と、を備え、前記補強手段における前記扉体側の端部とは反対側の端部に、前記カバー手段における前記扉体側の端部とは反対側の端部を係合するための係合手段を設け、前記カバー手段における前記扉体側の端部とは反対側の端部を、前記係合手段に係合させた。
【００１０】
請求項４に記載の扉は、請求項１から３のいずれか一項に記載の扉において、前記扉体は、当該扉体における少なくとも前記建物の外側の一部を覆う化粧板を備え、前記カバー手段を、前記化粧板と略同一の部材によって形成した。
【発明の効果】
【００１２】
請求項１に記載の扉によれば、扉体に設けられたカバー手段であって、当該扉体の回動状態に関わらず、丁番が建物の外側に露出しないように、当該丁番を覆うためのカバー手段と、カバー手段における建物の内側の側面に設けられた補強手段であって、当該カバー手段を補強するための補強手段とを備えたので、カバー手段及び補強手段という複数の部材を組み合わせることにより、丁番を覆う部分（すなわちカバー手段と補強手段）の設計の自由度を高めることができる。このため、補強手段には比較的高強度の部材を用いることで、カバー手段や補強手段が変形する可能性を低減できると共に、カバー手段にはその周囲に配置されている化粧板等と質感が略同一となる部材を用いることで、扉の意匠性を向上させることが可能となる。
また、扉体本体における建物の外側の側部と、パネル体における扉の戸尻側の側部とによって囲繞された空間内に、丁番の少なくとも一部が収容可能となるように、当該扉体本体及び当該パネル体を段差状に配置したので、例えば、扉体本体における扉の戸尻側の側部が、パネル体における扉の戸尻側の側部と面一となるように、扉体本体及びパネル体を配置した場合に比べて、丁番が扉体よりも建物の外側に突出することを抑制でき、扉の設置スペースのコンパクト化を図ることができる。
【００１３】
請求項２に記載の扉によれば、カバー手段と補強手段とを、このパネル体における扉の戸尻側の側部において、当該パネル体に対して接続したので、扉体を扉の枠体から取り外すことなく、カバー手段及び補強手段を当該扉体から容易に取り外すことができる。これにより、例えば、扉体が取り付けられた後に、枠体と扉体との相互間隔の調整のために、枠体と丁番との相互間にスペーサを出し入れする場合に、カバー手段及び補強手段を扉体から取り外すだけで、扉体を吊り込んだ状態のままスペーサを出し入れできるため、枠体と扉体との相互間隔の調整を容易に行うことが可能となる。
【００１４】
請求項３に記載の扉によれば、扉体に設けられたカバー手段であって、当該扉体の回動状態に関わらず、丁番が建物の外側に露出しないように、当該丁番を覆うためのカバー手段と、カバー手段における建物の内側の側面に設けられた補強手段であって、当該カバー手段を補強するための補強手段とを備えたので、カバー手段及び補強手段という複数の部材を組み合わせることにより、丁番を覆う部分（すなわちカバー手段と補強手段）の設計の自由度を高めることができる。このため、補強手段には比較的高強度の部材を用いることで、カバー手段や補強手段が変形する可能性を低減できると共に、カバー手段にはその周囲に配置されている化粧板等と質感が略同一となる部材を用いることで、扉の意匠性を向上させることが可能となる。
また、カバー手段における扉体側の端部とは反対側の端部を、補強手段に設けられた係合手段に係合させたので、ネジ等の取付具を用いることなく、カバー手段と補強手段とを接続することができるため、取付具を用いた場合に比べて、カバー手段と補強手段とを容易に取り付けることが可能となると共に、扉の意匠性を一層向上させることが可能となる。
【００１５】
請求項４に記載の扉によれば、カバー手段を、扉体における少なくとも建物の外側の一部を覆う化粧板と略同一の部材によって形成したので、カバー手段の質感と扉体の化粧板の質感とを統一させることができ、カバー手段を扉体の化粧板と異なる部材によって形成した場合に比べて、扉の意匠性を一層向上させることが可能となる。また、扉体の化粧板の部材に比べて、カバー手段の部材を同一の表面形態を持ちつつ一層肉厚の部材とすることで、カバー手段の強度を向上させて、補強手段を省略することも考えられる。しかしながら、このように肉厚の部材でカバー手段を形成した場合には、カバー手段の製造コストが上昇してしまう。これに対して、カバー手段を、扉体の化粧板の部材と略同一の部材によって形成した場合には、扉体用に大量に購入や加工されている比較的安価な部材を流用してカバー手段を形成できるので、カバー手段の製造コストを低減することができる。また、このようにカバー手段を、扉体の化粧板の部材と略同一の部材によって形成した場合であっても、補強手段で補強を行うことで、カバー手段が変形する可能性を低減することができる。
【図面の簡単な説明】
【００１７】
【図１】本発明の実施の形態に係る扉の正面図である。
【図２】図１の扉の背面図である。
【図３】図１の扉のＡ−Ａ矢視断面図である。
【図４】図３のＢ領域の拡大図であり、扉を全閉状態に配置した場合の図である。
【図５】図４に対応する領域の図であり、扉を全開状態に配置した場合の図である。
【図６】丁番カバーと補強材とを示す図であり、（ａ）は平面図、（ｂ）は側面図である。
【発明を実施するための形態】
【００１８】
以下に添付図面を参照して、この発明に係る扉の実施の形態を詳細に説明する。まず、〔I〕実施の形態の基本的概念について説明した後、〔II〕実施の形態の具体的内容について説明し、最後に、〔III〕実施の形態に対する変形例について説明する。ただし、実施の形態によって本発明が限定されるものではない。
【００１９】
〔I〕実施の形態の基本的概念
まず、実施の形態の基本的概念について説明する。実施の形態は、概略的に、建物の開口部に設けられる扉であり、当該扉を構成する扉体の端部のうち、当該扉の戸尻側の端部に設けられた丁番によって、当該扉体が回動自在に軸支されている、扉に関するものである。
【００２０】
ここで、「建物」とは、その具体的な構造や種類は任意であるが、例えば、戸建て住宅、アパートやマンションの如き集合住宅、オフィスビル、商業施設、及び公共施設等を含む概念である。また、「建物の開口部」とは、建物の躯体の一部分（例えば、壁、天井、又は床等）において窓や入り口を設置するために形成された開口部である。また、「扉」（ドア）は、建物の開口部の出入り又は視界を抑制又は制限するための構造体を意味する。この扉の取り付け位置や用途は任意であるが、例えば玄関に設置される「玄関扉」、勝手口や通用口に設置される「勝手口扉」、あるいは建物内部に設置されるための「室内扉」を含む。また、この扉の開閉構造は任意であり、例えば、片開式の開き戸や両開式の開き戸（いわゆる親子扉）等の「開き戸」として構成することができる。また、「丁番」とは、扉体を回動自在に軸支するためのものである。以下、実施の形態では、扉が、戸建て住宅の如き建物の玄関に配置された片開式の開き戸である場合について説明する。
【００２１】
〔II〕実施の形態の具体的内容
次に、実施の形態の具体的内容について説明する。
【００２２】
（構成）
初めに、実施の形態に係る扉の構成について説明する。図１は、本発明の実施の形態に係る扉の正面図である。図２は、図１の扉の背面図である。図３は、図１の扉のＡ−Ａ矢視断面図である。なお、以下の説明では、図１のＸ方向を扉の左右方向（−Ｘ方向を扉の左方向、＋Ｘ方向を扉の右方向）、図１の紙面に対して直交する方向（Ｙ方向）を扉の前後方向（紙面から手前側に至る方向（＋Ｙ方向）を扉の前方向（建物の外側の方向）、紙面から奥側に至る方向（−Ｙ方向）を扉の後方向（建物の内側方向）、図１のＺ方向を扉の上下方向（＋Ｚ方向を扉の上方向、−Ｚ方向を扉の下方向）と称する。
【００２３】
図１から図３に示すように、扉１は、概略的に、枠体１０と、枠化粧材１６、１７、１８、扉体２０とを備えて構成されている。ただし、扉１に関する特記しない構成については、従来と同様であるものとして説明を省略する。
【００２４】
（構成−枠体）
枠体１０は、建物の躯体２に形成された開口部３の周縁に設置されるものであり、左右一対の縦枠１１、１２、及び上下一対の横枠１３、１４を備える。これら縦枠１１、１２及び横枠１３、１４は、それぞれ開口部３の周縁における建物の躯体２に公知の方法で直接的に固定され、相互に組み合わせられて、全体として正面矩形環状の枠を構成する。以下では、必要に応じて、縦枠１１、１２のうち、扉１の戸先側（扉１の左右のうち、後述する丁番５０から遠い側であり、実施の形態においては左側）の縦枠１１を「戸先側縦枠１１」と称し、扉１の戸尻側（扉体２０の左右のうち、丁番５０に近い側であり、実施の形態においては右側）の縦枠１２を「戸尻側縦枠１２」と称する。また、横枠１３、１４のうち、上側の横枠１３を「上側横枠１３」と称し、下側の横枠１４を「下側横枠１４」と称する。
【００２５】
ここで、戸先側縦枠１１には、デッドボルト受けと、ラッチ受けとが設けられている（いずれも図示省略）。デッドボルト受けは、扉体２０を全閉位置（実施の形態においては図１に示す位置）に位置させた状態において、扉体２０に設けられた後述する公知のデッドボルトを受けるためのデッドボルト受容手段であり、後述するデッドボルトと対応する位置に配置されている。ラッチ受けは、扉体２０に設けられた後述するラッチを受けるためのラッチ受容手段であり、ラッチと対応する位置に配置されている。
【００２６】
また、戸先側縦枠１１及び戸尻側縦枠１２の各々には、戸当たり部１５が設けられている。戸当たり部１５は、扉体２０の回動を制限するためのものである。この戸当たり部１５は、戸先側縦枠１１又は戸尻側縦枠１２の全長（又は全長よりも若干短い長さ）にわたって形成されており、開口部３よりも建物の内側に配置されると共に、扉体２０を全閉位置に位置させた状態において当該扉体２０と当接するように配置されている。このような配置により、扉体２０を全閉位置に位置させた状態において、戸当たり部１５によって丁番５０及び後述する補強材７０が覆われるので、これら丁番５０及び補強材７０が建物の内側に露出することを防止できる。
【００２７】
（構成−枠化粧材）
枠化粧材１６、１７、１８、は、枠体１０の外側に露出している側面を覆うためのものである。具体的には、枠化粧材１６は戸先側縦枠１１の外側に露出している側面の一部を覆うように設置され、枠化粧材１７は戸尻側縦枠１２の外側に露出している側面の一部を覆うように設置され、枠化粧材１８は上側横枠１３の外側に露出している側面の一部を覆うように設置されており、それぞれ躯体２に対してネジ等の固定具によって固定されている。以下では、必要に応じて、枠化粧材１６、１７、１８、のうち、枠化粧材１６を「戸先側枠化粧材１６」と称し、枠化粧材１７を「戸尻側枠化粧材１７」と称し、枠化粧材１８を「上側枠化粧材１８」と称する。
【００２８】
（構成−扉体）
扉体２０は、建物の開口部３を開閉するための平板状の開閉体である。図３に示すように、扉体２０は、扉体本体３０と、パネル体４０と、丁番５０とを備えている。
【００２９】
（構成−扉体−扉体本体）
扉体本体３０は、扉体２０の基本構造体であり、扉枠３１、化粧板３２、３３、及び断熱材３４を備える。
【００３０】
（構成−扉体−扉体本体−扉枠）
扉枠３１は、扉体本体３０の剛性を主として担うものである。この扉枠３１は、複数のスチール製の枠材３１ｃを組み合わせることによって、正面形状が矩形環状となるように形成されている。また、これら複数の枠材３１ｃは、左右一対の縦枠材３１ａ、３１ｂ、及び上下一対の横枠材（図示省略）から構成されている。このうち、左右一対の縦枠材３１ａ、３１ｂは、長手方向の長さが相互に略同一となるように形成されており、上下方向に略沿うように配置されている。また、上下一対の横枠材は、長手方向の長さが相互に略同一となるように形成されており、左右方向に略沿うように配置されている。以下では、必要に応じて、縦枠材３１ａ、３１ｂのうち、扉１の戸先側の縦枠材３１ａを「戸先側縦枠材３１ａ」と称し、扉１の戸尻側の縦枠材３１ｂを「戸尻側縦枠材３１ｂ」と称する。なお、これら縦枠材３１ａ、３１ｂ及び横枠材を特に区別する必要のないときは、単に「枠材３１ｃ」と総称する。
【００３１】
また、この扉体本体３０には、扉窓３１ｆが設けられている。扉窓３１ｆは、扉１の意匠性や採光性を高めるための窓である。この扉窓３１ｆは、扉体本体３０に形成された開口部３１ｈに複層ガラス３１ｇを固定されており、より具体的には、扉体本体３０の左右及び上下の中央位置に形成された開口部３１ｈであって、正面形状が縦長矩形状である開口部３１ｈの周縁に設けられた扉窓枠３１ｉに対して、複層ガラス３１ｇが固定具を介して固定されている。この扉窓枠３１ｉの材質は任意であるが、軽量で加工性及び意匠性に優れた材質であることが好ましく、例えば、スチール材が採用されている。
【００３２】
（構成−扉体−扉体本体−化粧板）
化粧板３２、３３は、扉枠３１及び断熱材３４を覆うためのものである。これら化粧板３２、３３は、扉体本体３０のうち、少なくとも建物の外側の一部（実施の形態では、扉枠３１の周囲）を覆うように、扉枠３１に取り付けられており、より具体的には、扉枠３１及び断熱材３４を建物の内側及び建物の外側から挟むように配置され、扉枠３１に対して接着剤等によって固定されている。以下では、必要に応じて、化粧板３２、３３のうち、建物の内側に配置された化粧板３２を「屋内側化粧板３２」と称し、建物の外側に配置された化粧板３３を「屋外側化粧板３３」と称する。
【００３３】
（構成−扉体−扉体本体−断熱材）
断熱材３４は、熱エネルギーの移動を遮断するためのものである。この断熱材３４は、例えば公知の断熱材（例えばフェノール樹脂発泡材等）を用いて構成されており、扉枠３１の内部に充填されている。
【００３４】
（構成−扉体−扉体本体−その他の構成）
また、扉体本体３０における扉１の戸先側には、把手３５、ラッチ（図示省略）、及び施錠装置（図示省略）が設けられている。このうち、把手３５は、ユーザが扉体２０の開閉操作を行うためのものであり、扉体本体３０の建物の外側の側面及び建物の内側の側面における相互に対応する位置に配置されている。また、ラッチは、施錠装置による施錠の有無に関わらず、扉体２０を全閉位置に維持するためのものである。このラッチは、扉体本体３０の内部に設けられた連動機構（図示省略）を介して把手３５と連結されており、ユーザによる把手３５の操作に連動して、ラッチを扉体本体３０における扉１の戸先側の側面から出し入れすることができる。これにより、扉体２０を全閉位置に位置させた状態において、このラッチを戸先側縦枠１１に設けられたラッチ受け（図示省略）に係止させることにより、扉体２０を全閉位置に維持することができる。また、施錠装置は、扉体２０を施錠するための装置である。この施錠装置は、デッドボルト（図示省略）を備えて構成されており、より具体的には、ユーザが扉体本体３０の前方から鍵操作を行うことにより、デッドボルトを扉体本体３０における扉１の戸先側の側面から出し入れすることができ、扉体２０を全閉位置に位置させた状態において、このデッドボルトを戸先側縦枠１１に設けられたデッドボルト受け（図示省略）に係止させることで、扉体２０を施錠することができる。
【００３５】
また、扉体本体３０の上側には、ドアクローザ３６が設けられている。ドアクローザ３６は、扉体２０が開かれた場合に、この扉体２０を安全な速度で自動的に閉じるためのものであると共に、扉体２０の回動状態が後述する図５に示す扉体２０の全開位置以上に開かれた状態になること（丁番カバー６０や補強材７０が戸尻側縦枠１２に当接することを防止すること）を規制するためのものである。このドアクローザ３６は、当該ドアクローザ３６のアーム部（図示省略）を前後方向に向けて回転させることができ、扉体２０を開放位置に位置させた状態で、扉体２０が開けられる際の力を復元力として利用しながら、当該ドアクローザ３６のダンパ部（図示省略）によって急激な戻りを抑制することができる。
【００３６】
（構成−扉体−パネル体）
パネル体４０は、扉体２０の意匠性（特に、扉体２０の建物の外側の意匠性）や耐火性を高めるために、扉体本体３０の少なくとも一部（ただし、扉体本体３０の扉窓３１ｆを除く）を覆うためのパネルである。これらパネル体４０は、扉体本体３０の建物の外側の側面（具体的には、扉体本体３０の屋外側化粧板３３）に複数設けられ、相互に間隔を隔てて左右方向に沿って並設配置されている。また、このパネル体４０は、化粧板４１、４２と、コア４３とを備えている。
【００３７】
（構成−扉体−パネル体−化粧板）
化粧板４１、４２は、屋内側と屋外側から相互に対向するように配置されることで、中空箱状体を構成する。化粧板４１は、パネル体４０の屋内側に設置され、化粧板４２は、パネル体４０の屋外側に設置されている。以下では、必要に応じて、化粧板４１、４２のうち、化粧板４１を「屋内側化粧板４１」と称し、化粧板４２を「屋外側化粧板４２」と称する。屋内側化粧板４１は、扉体本体３０の屋外側化粧板３３に対してリベット等によって固定されている。また、この屋内側化粧板４１に対してコア４３が接着材によって接続され、さらにこれら屋内側化粧板４１及びコア４３に対して屋外側化粧板４２が接着剤によって接続されている。
【００３８】
（構成−扉体−パネル体−コア）
コア４３は、パネル体４０の心材である。このコア４３は、正面形状が矩形状となるように形成されており、化粧板４１、４２によって囲繞された空間内に充填されている。また、このコア４３の具体的な構造や材質は任意であるが、例えば、比較的軽量で、且つ高い剛性を有するハニカムコアにて形成されている。
【００３９】
（構成−扉体−丁番）
丁番５０は、扉体２０を戸尻側縦枠１２に対して開動自在に軸支するためのものである。この丁番５０は、扉体２０の扉体本体３０における扉１の戸尻側の端部において、相互に間隔を隔てて上下方向に沿って複数並設されている。また、この丁番５０は、公知の旗丁番と同様に構成されており、具体的には、円筒状の上軸受５１と、上軸受５１に差し込み自在な棒状の下軸５２と、上軸受５１に接続された上支持片５３と、下軸５２に接続された下支持片５４とを備えている。そして、下軸５２が上軸受５１に差し込まれた状態において、上支持片５３が、扉体本体３０の屋内側化粧板３２又は屋外側化粧板３３に形成された挿通孔（図示省略）を介して、戸尻側縦枠材３１ｂに対して取付ネジ等の固定具により固定されていると共に、下支持片５４が、戸尻側縦枠１２に対して取付ネジ等の固定具により固定されている。
【００４０】
（構成−丁番の露出防止構造）
次に、扉１の構成の詳細について説明する。図４は、図３のＢ領域の拡大図であり、扉１を全閉状態に配置した場合の図である。図５は、図４に対応する領域の図であり、扉１を全開状態に配置した場合の図である。図６は、後述する丁番カバー６０と後述する補強材７０とを示す図であり、（ａ）は平面図、（ｂ）は側面図である。これら図４、図５に示すように、扉体２０における扉１の戸尻側の側面には、丁番５０が建物の外側に露出することを防止するための丁番５０の露出防止構造として、丁番カバー６０と補強材７０が設けられている。以下では、この丁番５０の露出防止構造について説明する。
【００４１】
最初に、丁番カバー６０について説明する。この丁番カバー６０は、扉体２０の回動状態に関わらず（すなわち、扉体２０によって開口部３が閉鎖されている状態、扉体２０によって開口部３が開放されている状態、及びこれらの中間の状態のうち、いずれの状態においても）、丁番５０が建物の外側に露出することを防止するためのカバー手段である。この丁番カバー６０は、第１側片６１、第２側片６２、及び第３側片６３から、水平断面による断面形状が略Ｌ字状となるように形成されていると共に、扉体本体３０の上下方向の全長（又は全長よりも若干短い長さ）にわたって形成されている。そして、第１側片６１が、パネル体４０の戸尻側の側面において屋外側化粧板４２に当接するように配置されており、第２側片６２と第３側片６３が、パネル体４０の戸尻側の側面よりも前面側に突出して丁番５０の外側に至る位置に延出し、この丁番５０を外側から覆っている。
【００４２】
ここで、図４に示すように扉体２０を全閉位置に位置させた状態において、丁番５０の外側に露出している側面を丁番カバー６０によって完全に覆うことも考えられるが、実施の形態においては、丁番５０の外側に露出している側面の一部のみを丁番カバー６０によって覆っている。具体的には、扉体２０を全閉位置に位置させた状態において、丁番カバー６０の先端部分（戸尻側縦枠１２側の部分）は、戸尻側縦枠１２に対して間隔を隔てる位置で留まっており、この丁番カバー６０の先端部分と戸尻側縦枠１２との間においては、丁番５０は丁番カバー６０では覆われていない。このように丁番カバー６０を形成した理由は以下の通りである。すなわち、第１の理由としては、丁番５０の外側に露出している側面を丁番カバー６０によって完全に覆った場合には、図５に示すように扉体２０を全開位置に位置させた状態において、丁番カバー６０が戸尻側縦枠１２等と干渉する可能性があり、好ましくないためである。そこで、実施の形態においては、扉体２０を全開位置に位置させた状態において、丁番カバー６０の先端部分が戸尻側縦枠１２に近接又は当接するように、扉体２０を全閉位置に位置させた状態における丁番カバー６０の先端部分と戸尻側縦枠１２との相互間隔を決定している。また、第２の理由としては、図４に示すように扉体２０を全閉位置に位置させた状態において、丁番５０の外側に露出している側面のうち、丁番カバー６０によって覆われていない部分は、丁番５０よりも建物の外側に突出している戸尻側枠化粧材１７によって覆うことができ、丁番カバー６０で覆う必要性に乏しいためである。このように、実施の形態においては、丁番カバー６０と戸尻側枠化粧材１７とによって、丁番５０の外側に露出している側面を略完全に覆っている。
【００４３】
このような丁番カバー６０を構成する各部のうち、第１側片６１は、当該第１側片６１の幅がパネル体４０の前後方向の長さよりも長くなるように形成されている。また、この第１側片６１には、丁番カバー６０を後述する接続片８２に取り付けるための取付ネジ８０を挿通するための挿通孔６４が、上下方向に沿って所定の間隔を隔てて複数並設されている。また、第２側片６２は、図４に示すように扉体２０を全閉位置に位置させた状態において、左右方向に略沿うように形成されていると共に、第１側片６１よりも扉１の戸尻側に配置されている。また、第３側片６３は、図４に示すように扉体２０を全閉位置に位置させた状態において、丁番５０の上軸受５１（又は下軸５２）における当該第３側片６３に近接する部分の外縁接線に略沿うように形成されており（より具体的には、第２側片６２と第３側片６３との内角が所定の角度（例えば１４５度等）となるように形成されており）、当該第２側片６２よりも建物の内側に配置されている。なお、これら第２側片６２の幅及び第３側片６３の幅の設定については、実施の形態では、第２側片６２の幅が第３側片６３の幅よりも長くなるように設定されているが、これに限られない。例えば、第２側片６２の幅が第３側片６３の幅と略同一となるように設定されてもよく、若しくは、第３側片６３の幅が第２側片６２の幅よりも長くなるように設定されてもよい。あるいは、第２側片６２と第３側片６３とを相互に一体化して平面形状としてもよい。
【００４４】
このように構成された丁番カバー６０は、任意の材質で製造することができるが、意匠上の観点からは、丁番カバー６０の質感と、その周囲に配置されている扉体本体３０の屋外側化粧板３３及びパネル体４０の屋外側化粧板４２の質感とを、統一させることが好ましい。このため、実施の形態において、丁番カバー６０は、これら扉体本体３０の屋外側化粧板３３及びパネル体４０の屋外側化粧板４２と同一（材質、肉厚、色、表面処理、及び塗装が同一）の材質（例えば、防錆処理及び木目塗装を施した不燃性の公知の化粧鋼板）で製造されている。また、屋外側化粧板４２の部材に比べて、丁番カバー６０の部材を同一の表面形態を持ちつつ一層肉厚の部材とすることで、丁番カバー６０の強度を向上させて、補強材７０を省略することも考えられる。しかしながら、このように肉厚の部材で丁番カバー６０を形成した場合には、丁番カバー６０の製造コストが上昇してしまう。これに対して、丁番カバー６０を、屋外側化粧板４２の部材と略同一の部材によって形成した場合には、屋外側化粧板４２のために大量に購入や加工されている比較的安価な部材を流用して丁番カバー６０を形成できるので、丁番カバー６０の製造コストを低減することができる。また、このように丁番カバー６０を、屋外側化粧板４２の部材と略同一の部材によって形成した場合であっても、補強材７０で補強を行うことで、丁番カバー６０が変形する可能性を低減することができる。なお、丁番カバー６０は、任意の方法で製造することができるが、例えば、化粧鋼板を折り曲げ成形することによって、第１側片６１、第２側片６２、及び第３側片６３を一体に形成し、この折り曲げ成形の前後のいずれかの時点で、複数の挿通孔６４を打ち抜き形成する。
【００４５】
（構成−丁番の露出防止構造−補強材）
次に、補強材７０について説明する。この補強材７０は、丁番カバー６０を補強するための補強手段である。すなわち、丁番５０が丁番カバー６０のみによって覆われている場合には、当該丁番カバー６０の厚みが扉体本体３０の枠材３１ｃの厚さに比べて薄いため、当該丁番カバー６０の強度が比較的低いことから、例えば、当該丁番カバー６０が人や物に当たることによって、当該丁番カバー６０が容易に変形してしまう可能性があった。そこで、この問題を解消するために、実施の形態では、この丁番カバー６０を、補強材７０で補強している。具体的には、図４から図６に示すように、この補強材７０は、当該補強材７０が丁番カバー６０に略沿うように、第１側片７１、第２側片７２、及び第３側片７３から、水平断面による断面形状が略Ｌ字状となるように形成されていると共に、丁番カバー６０の上下方向の全長（又は全長よりも若干短い長さ）にわたって形成されており、丁番カバー６０の建物の内側の側面に配置されている。
【００４６】
ここで、この補強材７０の各部のうち、第１側片７１は、当該第１側片７１の幅が丁番カバー６０の第１側片６１の幅と略同一となるように形成されており、当該丁番カバー６０の第１側片６１と当接するように配置されている。また、この第１側片７１には、取付ネジ８０を挿通するための挿通孔７４が複数形成されており、丁番カバー６０の第１側片６１に形成された複数の挿通孔６４と対応する位置にそれぞれ配置されている。また、第２側片７２は、当該第２側片７２の幅が丁番カバー６０の第２側片６２の幅と略同一となるように形成されており、当該丁番カバー６０の第２側片６２と当接するように配置されている。また、第３側片７３は、当該第３側片７３の幅が丁番カバー６０の第３側片６３の幅よりも若干長くなるように形成されており、当該丁番カバー６０の第３側片６３と当接するように配置されている。
【００４７】
このように構成された補強材７０は、任意の材質や厚みで製造することができるが、丁番カバー６０を補強する観点からは、補強材７０を丁番カバー６０より高強度にすることが好ましい。このため、実施の形態においては、補強材７０の厚みが、丁番カバー６０の厚みよりも厚くなるように製造されている。あるいは、これに限られず、例えば、補強材７０の材質を、丁番カバー６０の材質よりも高強度な材質としてもよい。また、補強材７０は、任意の方法で製造することができるが、例えば、アルミニウムを押出成形することによって、第１側片７１、第２側片７２、及び第３側片７３を一体に形成し、この押出成形後に、挿通孔７４を打ち抜き形成する。
【００４８】
また、丁番カバー６０と補強材７０との接続構造については、取付具等の他の部材を用いることなく、丁番カバー６０と補強材７０とを接続することが可能な構造が採用されている。具体的には、図４から図６に示すように、補強材７０における扉体２０側の端部とは反対側の端部（すなわち、補強材７０の第３側片７３の先端部分）に、係合部７５が設けられている。係合部７５は、丁番カバー６０における扉体２０側の端部とは反対側の端部（すなわち、丁番カバー６０の第３側片７３の先端部分）を係合するための係合手段である。この係合部７５は、補強材７０の第３側片７３の先端部分及びその近傍部分を建物の外側に折り返すことにより形成されていると共に、丁番カバー６０の上下方向の全長（又は全長よりも若干短い長さ）にわたって形成されている。このような接続構造により、取付具等の他の部材を用いることなく、丁番カバー６０と補強材７０とを接続することができるため、取付具を用いた場合に比べて、丁番カバー６０と補強材７０とを容易に取り付けることが可能となると共に、丁番カバー６０の意匠性を維持することが可能となる。なお、丁番カバー６０と補強材７０とを一層強固に接続するために、例えば、補強材７０における丁番カバー６０との当接部分に接着剤を塗布してもよい。
【００４９】
また、丁番カバー６０と補強材７０とを取り付ける場合において、丁番カバー６０における第１側片６１と第２側片６２との接続部分及びその近傍部分を第１側片７１と第２側片７２との接続部分及びその近傍部分に沿わせようとした場合に、例えば、丁番カバー６０又は補強材７０に製造誤差が生じた場合には、丁番カバー６０における第１側片６１と第２側片６２により形成される角部と、補強材７０における第１側片７１と第２側片７２により形成される角部とが、相互に干渉する可能性があった。このような問題を解消するために、実施の形態では、図４から図６に示すように、第１側片７１と第２側片７２との接続部分及びその近傍部分に、段差部７６が設けられている。この段差部７６は、第１側片７１と第２側片７２との接続部分と丁番カバー６０との相互間に空間を形成するためのものである。この段差部７６は、水平断面による断面形状が略逆Ｌ字状となるように形成されており、段差部７６の第１側片７６ａが丁番カバー６０の第２側片６２と間隔を隔てて配置されていると共に、段差部７６の第２側片７６ｂが丁番カバー６０の第１側片６１と間隔を隔てて配置されている。このような構成により、段差部７６の第１側片７６ａと、第２側片７６ｂと、丁番カバー６０とによって囲繞される空間が形成される。このため、丁番カバー６０又は補強材７０に製造誤差が生じた場合であっても、丁番カバー６０における第１側片６１と第２側片６２により形成される角部と、補強材７０における第１側片７１と第２側片７２により形成される角部とが、相互に干渉するようなことを防止できる。
【００５０】
また、図４に示すように扉体２０を全閉位置に位置させた状態では、上述したように、戸当たり部１５によって丁番カバー６０及び補強材７０が覆われているものの、図５に示すように扉体２０を全開位置に位置させた状態では、戸当たり部１５によって丁番カバー６０及び補強材７０が覆われなくなる。ここで、仮に、丁番カバー６０の建物の内側の側面が補強材７０によって覆われていない場合には、当該側面が建物の内側に露出するので、当該側面の状態によっては（例えば、当該側面に丁番カバー６０の素地が現れている場合）、扉１の意匠性を低下させる可能性がある。このため、実施の形態においては、丁番カバー６０の建物の内側の側面を補強材７０で覆うことにより、当該側面の露出を防止して、扉１の意匠性を維持している。特に、補強材７０の建物の内側の側面に、表面処理（例えば、補強材７０がアルミニウムで形成されている場合には、アルマイト処理等）を行うことで、この補強材７０の側面が建物の内側に露出した場合であっても、扉１の意匠性を一層維持することが可能となる。
【００５１】
（構成−丁番の露出防止構造−丁番等の収まり構造）
また、丁番５０、丁番カバー６０、及び補強材７０の収まり構造については、扉１の設置性を向上させることが可能となる収まり構造が採用されている。具体的には、図４、図５に示すように、この収まり構造の一つの特徴として、扉体本体３０における建物の外側の側部と、パネル体４０における扉１の戸尻側の側部とによって囲繞された空間８１（以下、「収容空間８１」と称する）内（より具体的には、扉体本体３０における建物の外側の側部と、パネル体４０における扉１の戸尻側の側部と、戸尻側縦枠１２と、躯体２と、戸尻側枠化粧材１７とによって囲繞された収容空間８１内）に、丁番５０の少なくとも一部（実施の形態では、丁番５０の上軸受５１及び下軸５２部等）が収容可能となるように、当該扉体本体３０及び当該パネル体４０を段差状に配置されている。
【００５２】
また、この収まり構造のもう一つの特徴として、少なくとも補強材７０（実施の形態では、丁番カバー６０及び補強材７０）が、パネル体４０の内部に収容された接続片８２を介して扉体本体３０又はパネル体４０に対して接続されている。より具体的には、接続片８２が、水平断面による断面形状が略逆Ｌ字状となるように形成されており、接続片８２の第１側片８２ａがパネル体４０の屋外側化粧板４２と当接すると共に、接続片８２の第２側片８２ｂが扉体本体３０の屋外側化粧板３３と当接するように配置されている。また、この接続片８２の第１側片８２ａには、取付ネジ８０を固定するためのネジ孔（図示省略）が形成されていると共に、この接続片８２の第２側片８２ｂには、取付ネジ８０を挿通するための挿通孔（図示省略）が形成されている。そして、丁番カバー６０及び補強材７０が、パネル体４０の屋外側化粧板４２に形成された挿通孔（図示省略）、及び接続片８２における第１側片８２ａのネジ孔を介して、パネル体４０における扉１の戸尻側の側部（具体的には、屋外側化粧板４２における扉１の戸尻側の部分）において、パネル体４０（より具体的には、パネル体４０の内部に収容された接続片８２の第１側片８２ａ）に対して取付ネジ８０によって接続されている。また、接続片８２の第２側片８２ｂが、扉体本体３０の屋外側化粧板３３に形成された挿通孔（図示省略）及び戸尻側縦枠材３１ｂに形成されたネジ孔を介して、当該戸尻側縦枠材３１ｂに対して取付ネジ８０によって接続されている。
【００５３】
このような収まり構造により、扉体本体３０における扉１の戸尻側の側部が、パネル体４０における扉１の戸尻側の側部と面一となるように、これら扉体本体３０及びパネル体４０が配置された場合に比べて、丁番５０が扉体２０よりも建物の外側に突出することを抑制でき、扉１の設置スペースのコンパクト化を図ることができる。また、丁番カバー６０及び補強材７０が、パネル体４０の内部に収容された接続片８２を介して扉体本体３０に対して接続されているので、丁番カバー６０及び補強材７０が、収容空間８１内に収容された接続片８２を介して扉体本体３０に対して接続された場合に比べて、収容空間８１のコンパクト化を図ることができる。以上のことから、扉１の設置性を向上させることが可能となる。
【００５４】
（構成−丁番の露出防止構造−取付方法）
次に、扉１の構成のうち、枠体１０に対する扉体２０の取付方法について説明する。
【００５５】
最初に、複数の丁番５０の各々における上支持片５３を、パネル体４０と接続された扉体本体３０の戸尻側縦枠材３１ｂに対して、扉体本体３０の屋内側化粧板３２又は屋外側化粧板３３の挿通孔を介して取付ネジによって固定する。次いで、複数の丁番５０の各々における下支持片５４を、戸尻側縦枠１２に対して、取付ネジによって固定する。そして、各上支持片５３の上軸受５１に各下支持片５３の下軸５２が差し込まれるように扉体２０を吊り込むことで、扉体２０を複数の丁番５０を介して戸尻側縦枠１２に取り付ける。
【００５６】
また、上記の扉体２０の取付の前後いずれかの時点において、補強材７０を丁番カバー６０の内縁に略沿うように当接させることで、当該補強材７０を丁番カバー６０の建物の内側の側面に設けると共に、丁番カバー６０における扉体２０側の端部とは反対側の端部を、補強材７０に設けられた係合部７５に係合させることで、丁番カバー６０と補強材７０とを相互に接続する。
【００５７】
その後、このように相互に接続した状態の丁番カバー６０と補強材７０とを扉体２０に対して固定する。具体的には、図４に示すように扉体２０を全開位置に位置させた状態で、丁番カバー６０の第１側片６１がパネル体４０の屋外側化粧板４２の側面に当接するように、補強材７０と丁番カバー６０とを建物の外側から収容空間８１に差し込む。次いで、図５に示すように扉体２０を全開位置に位置させた状態で、これら補強材７０と丁番カバー６０とを、パネル体４０の接続片８２（具体的には、扉体本体３０にパネル体４０が接続される際に、扉体本体３０の戸尻側縦枠材３１ｂに対して取付ネジ８０によって接続された接続片８２）における第１側片８２ａのネジ孔及び屋外側化粧板４２の挿通孔を介して、当該第１側片８２ａに対して取付ネジ８０によって固定する。これにて、枠体１０に対する扉体２０の取り付けが終了する。
【００５８】
ここで、扉体２０が取り付けられた後に、枠体１０と扉体２０との相互間隔の調整のために、枠体１０と丁番５０との相互間にスペーサを出し入れすることが必要になる場合があるが、この場合には、上述した方法とは逆手順の作業を行うことにより、丁番カバー６０及び補強材７０を扉体２０から容易に取り外すことができる。すなわち、丁番カバー６０と補強材７０とが、このパネル体４０における扉１の戸尻側の側部において、パネル体４０に対して接続されているので、図５に示すように扉体２０を全開位置に位置させた状態では、この扉１の戸尻側の側部を屋内側に露出させることができ、取付ネジ８０による固定を解除することができる。また、丁番カバー６０と補強材７０とが、このパネル体４０における扉１の戸尻側の側部において、パネル体４０に対して接続されているので、図４に示すように扉体２０を全開位置に位置させた状態では、丁番カバー６０及び補強材７０が丁番５０の上軸受５１によって覆われることがないので（上軸受５１よりも見付方向の屋内側に位置することがなく）、丁番５０の上軸受５１が障害になることなく、丁番カバー６０及び補強材７０を屋外側に出して取り外すことができる。従って、扉体２０を吊り込んだ状態のまま、スペーサを出し入れすることができ、枠体１０と扉体２０との相互間隔の調整を容易に行うことが可能となる。
【００５９】
（実施の形態の効果）
このように実施の形態によれば、扉体２０に設けられた丁番カバー６０であって、当該扉体２０の回動状態に関わらず、丁番５０が建物の外側に露出しないように、当該丁番５０を覆うための丁番カバー６０と、丁番カバー６０における建物の内側の側面に設けられた補強材７０であって、当該丁番カバー６０を補強するための補強材７０とを備えたので、丁番カバー６０及び補強材７０という複数の部材を組み合わせることにより、丁番５０を覆う部分（すなわち丁番カバー６０と補強材７０）の設計の自由度を高めることができる。このため、補強材７０には比較的高強度の部材を用いることで、丁番カバー６０や補強材７０が変形する可能性を低減できると共に、丁番カバー６０にはその周囲に配置されているパネル体４０の屋外側化粧板４２等と質感が同一となる部材を用いることで、扉の意匠性を向上させることが可能となる。
【００６０】
また、丁番カバー６０を、扉体２０における少なくとも建物の外側の一部を覆うパネル体４０の屋外側化粧板４２（又は扉体本体３０の屋外側化粧板３３）と略同一の部材によって形成したので、丁番カバー６０の質感とパネル体４０の屋外側化粧板４２の質感とを統一させることができ、丁番カバー６０をパネル体４０の屋外側化粧板４２と異なる部材によって形成した場合に比べて、扉１の意匠性を一層向上させることが可能となる。また、屋外側化粧板４２の部材に比べて、丁番カバー６０の部材を同一の表面形態を持ちつつ一層肉厚の部材とすることで、丁番カバー６０の強度を向上させて、補強材７０を省略することも考えられる。しかしながら、このように肉厚の部材で丁番カバー６０を形成した場合には、丁番カバー６０の製造コストが上昇してしまう。これに対して、丁番カバー６０を、屋外側化粧板４２の部材と略同一の部材によって形成した場合には、屋外側化粧板４２のために大量に購入や加工されている比較的安価な部材を流用して丁番カバー６０を形成できるので、丁番カバー６０の製造コストを低減することができる。また、このように丁番カバー６０を、屋外側化粧板４２の部材と略同一の部材によって形成した場合であっても、補強材７０で補強を行うことで、丁番カバー６０が変形する可能性を低減することができる。
【００６１】
また、扉体本体３０における建物の外側の側部と、パネル体４０における扉１の戸尻側の側部とによって囲繞された収容空間８１内に、丁番５０の少なくとも一部が収容可能となるように、当該扉体本体３０及び当該パネル体４０を段差状に配置したので、例えば、扉体本体３０における扉１の戸尻側の側部が、パネル体４０における扉１の戸尻側の側部と面一となるように、扉体本体３０及びパネル体４０を配置した場合に比べて、丁番５０が扉体２０よりも建物の外側に突出することを抑制でき、扉１の設置スペースのコンパクト化を図ることができる。
【００６２】
また、丁番カバー６０と補強材７０とを、このパネル体４０における扉１の戸尻側の側部において、パネル体４０に対して接続したので、扉体２０を枠体１０から取り外すことなく、丁番カバー６０及び補強材７０を当該扉体２０から容易に取り外すことができる。これにより、例えば、扉体２０が取り付けられた後に、枠体１０と扉体２０との相互間隔の調整のために、枠体１０と丁番５０との相互間にスペーサを出し入れする場合に、丁番カバー６０及び補強材７０を扉体２０から取り外すだけで、扉体２０を吊り込んだ状態のまま、スペーサを出し入れして、枠体１０と扉体２０との相互間隔の調整を容易に行うことが可能となる。
【００６３】
また、丁番カバー６０における扉体２０側の端部とは反対側の端部を、補強材７０に設けられた係合部７５に係合させたので、ネジ等の取付具を用いることなく、丁番カバー６０と補強材７０とを接続することができるため、取付具を用いた場合に比べて、丁番カバー６０と補強材７０とを容易に取り付けることが可能となると共に、丁番カバー６０の意匠性を一層向上させることが可能となる。
【００６４】
〔III〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００６５】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、本発明に係る扉１における丁番カバー６０の強度が従来と同程度であっても、従来と異なる構造により従来と同程度の強度となっている場合には、本願の課題は解決している。
【００６６】
（扉体について）
上記実施の形態では、扉体２０は、扉体本体３０と、パネル体４０とを備えていると説明したが、これに限られず、例えばパネル体４０を省略してもよい。この場合には、例えば、扉体本体３０における扉１の戸尻側の部分（具体的には、屋外側化粧板３３及び戸尻側縦枠材３１ｂにおける扉１の戸尻側の部分）を段差状に形成することで、当該部分によって囲繞された収容空間８１内に、丁番５０の少なくとも一部が収容されてもよい。この場合には、丁番カバー６０及び補強材７０が、接続片８２を介することなく、直接的に扉体本体３０の戸尻側縦枠材３１ｂに対して接続される。
【００６７】
（パネル体について）
上記実施の形態では、パネル体４０の前後方向の長さが、丁番カバー６０の第１側片６１の幅よりも短く設定されていると説明したが、これに限られない。例えば、パネル体４０の前後方向の長さが、パネル体４０が丁番カバー６０の第１側片６１と略面一となる長さに設定されてもよい。このような形状により、パネル体４０の意匠と丁番カバー６０の意匠との一体性を高めることができ、扉１の意匠性を一層向上させることが可能となる。
【００６８】
（丁番カバーについて）
上記実施の形態では、丁番カバー６０は、扉体本体３０の屋内側化粧板３２若しくは屋外側化粧板３３、又はパネル体４０の化粧体と別体にて形成されていると説明したが、これに限られず、扉体本体３０の屋内側化粧板３２若しくは屋外側化粧板３３、又はパネル体４０の化粧体のいずれかと一体に形成されてもよい。
【００６９】
また、上記実施の形態では、丁番カバー６０が、パネル体４０の屋外側化粧板４２と略同一の部材にて形成されていると説明したが、これに限られない。例えば、丁番カバー６０が、パネル体４０の屋外側化粧板４２と異なる部材にて形成されている場合には、扉体本体３０の屋外側化粧板３３と略同一の部材にて形成されてもよい。あるいは、丁番カバー６０が、パネル体４０の屋外側化粧板４２の材質と略同一の材質にて形成されていると共に、この屋外側化粧板４２の表面処理と略同一の処理が施されていてもよく、又は、この屋外側化粧板４２の材質又はこの屋外側化粧板４２の表面処理のいずれか一方と略同一となるように形成されてもよい。
【００７０】
また、上記実施の形態では、丁番カバー６０の第１側片６１によって、補強材７０の第１側片７１全体が覆われるように、丁番カバー６０が形成されていると説明したが、これに限られない。例えば、丁番カバー６０の第１側片６１によって、補強材７０の第１側片７１におけるパネル体４０と対応する部分以外の部分のみが覆われるように、丁番カバー６０が形成されてもよい。
【００７１】
（補強材について）
上記実施の形態では、補強材７０における第１側片７１と第２側片７２との接続部分に、段差部７６が形成されていると説明したが、例えば、段差部７６に代えて、アール状の角部が形成されてもよい。
【００７２】
（扉の設置構造について）
上記実施の形態では、扉体本体３０における建物の外側の側部と、パネル体４０における扉１の戸尻側の側部とによって囲繞された収容空間８１内に、丁番５０の少なくとも一部が収容可能となるように、扉体本体３０及び当該パネル体４０が、段差状に配置されていると説明したが、これに限られない。例えば、扉体本体３０における扉１の戸尻側の側部が、パネル体４０における扉１の戸尻側の側部と面一となるように、これら扉体本体３０及びパネル体４０が配置されてもよい。
【００７３】
（付記）
付記１の扉は、建物の開口部に設けられる扉であり、当該扉の戸尻側の端部に設けられた丁番によって、当該扉を構成する扉体が回動自在に軸支されている扉であって、前記扉体に設けられたカバー手段であって、当該扉体の回動状態に関わらず、前記丁番が前記建物の外側に露出しないように、当該丁番を覆うためのカバー手段と、前記カバー手段における前記建物の内側の側面に設けられた補強手段であって、当該カバー手段を補強するための補強手段と、を備えている。
【００７４】
付記２の扉は、付記１に記載の扉において、前記扉体は、当該扉体における少なくとも前記建物の外側の一部を覆う化粧板を備え、前記カバー手段を、前記化粧板と略同一の部材によって形成した。
【００７５】
付記３の扉は、付記１又は２に記載の扉において、前記扉体は、扉体本体と、前記扉体本体における前記建物の外側の側面に設けられたパネル体と、を備え、前記扉体本体における前記建物の外側の側部と、前記パネル体における当該扉の戸尻側の側部とによって囲繞された空間内に、前記丁番の少なくとも一部が収容可能となるように、当該扉体本体及び当該パネル体を段差状に配置し、前記補強手段を前記扉体本体又は前記パネル体に対して接続した。
【００７６】
付記４の扉は、付記３に記載の扉において、前記カバー手段と前記補強手段とを、前記パネル体における当該扉の戸尻側の側部において、前記パネル体に対して接続した。
【００７７】
付記５の扉は、付記１から４のいずれか一項に記載の扉において、前記補強手段における前記扉体側の端部とは反対側の端部に、前記カバー手段における前記扉体側の端部とは反対側の端部を係合するための係合手段を設け、前記カバー手段における前記扉体側の端部とは反対側の端部を、前記係合手段に係合させた。
【００７８】
（付記の効果）
付記１に記載の扉によれば、扉体に設けられたカバー手段であって、当該扉体の回動状態に関わらず、丁番が建物の外側に露出しないように、当該丁番を覆うためのカバー手段と、カバー手段における建物の内側の側面に設けられた補強手段であって、当該カバー手段を補強するための補強手段とを備えたので、カバー手段及び補強手段という複数の部材を組み合わせることにより、丁番を覆う部分（すなわちカバー手段と補強手段）の設計の自由度を高めることができる。このため、補強手段には比較的高強度の部材を用いることで、カバー手段や補強手段が変形する可能性を低減できると共に、カバー手段にはその周囲に配置されている化粧板等と質感が略同一となる部材を用いることで、扉の意匠性を向上させることが可能となる。
【００７９】
付記２に記載の扉によれば、カバー手段を、扉体における少なくとも建物の外側の一部を覆う化粧板と略同一の部材によって形成したので、カバー手段の質感と扉体の化粧板の質感とを統一させることができ、カバー手段を扉体の化粧板と異なる部材によって形成した場合に比べて、扉の意匠性を一層向上させることが可能となる。また、扉体の化粧板の部材に比べて、カバー手段の部材を同一の表面形態を持ちつつ一層肉厚の部材とすることで、カバー手段の強度を向上させて、補強手段を省略することも考えられる。しかしながら、このように肉厚の部材でカバー手段を形成した場合には、カバー手段の製造コストが上昇してしまう。これに対して、カバー手段を、扉体の化粧板の部材と略同一の部材によって形成した場合には、扉体用に大量に購入や加工されている比較的安価な部材を流用してカバー手段を形成できるので、カバー手段の製造コストを低減することができる。また、このようにカバー手段を、扉体の化粧板の部材と略同一の部材によって形成した場合であっても、補強手段で補強を行うことで、カバー手段が変形する可能性を低減することができる。
【００８０】
付記３に記載の扉によれば、扉体本体における建物の外側の側部と、パネル体における扉の戸尻側の側部とによって囲繞された空間内に、丁番の少なくとも一部が収容可能となるように、当該扉体本体及び当該パネル体を段差状に配置したので、例えば、扉体本体における扉の戸尻側の側部が、パネル体における扉の戸尻側の側部と面一となるように、扉体本体及びパネル体を配置した場合に比べて、丁番が扉体よりも建物の外側に突出することを抑制でき、扉の設置スペースのコンパクト化を図ることができる。
【００８１】
付記４に記載の扉によれば、カバー手段と補強手段とを、このパネル体における扉の戸尻側の側部において、当該パネル体に対して接続したので、扉体を扉の枠体から取り外すことなく、カバー手段及び補強手段を当該扉体から容易に取り外すことができる。これにより、例えば、扉体が取り付けられた後に、枠体と扉体との相互間隔の調整のために、枠体と丁番との相互間にスペーサを出し入れする場合に、カバー手段及び補強手段を扉体から取り外すだけで、扉体を吊り込んだ状態のままスペーサを出し入れできるため、枠体と扉体との相互間隔の調整を容易に行うことが可能となる。
【００８２】
付記５に記載の扉によれば、カバー手段における扉体側の端部とは反対側の端部を、補強手段に設けられた係合手段に係合させたので、ネジ等の取付具を用いることなく、カバー手段と補強手段とを接続することができるため、取付具を用いた場合に比べて、カバー手段と補強手段とを容易に取り付けることが可能となると共に、扉の意匠性を一層向上させることが可能となる。
【符号の説明】
【００８３】
１  扉
２  躯体
３  開口部
１０  枠体
１１  縦枠（戸先側縦枠）
１２  縦枠（戸尻側縦枠）
１３  横枠（上側横枠）
１４  横枠（下側横枠）
１５  戸当たり部
１６  枠化粧材（戸先側枠化粧材）
１７  枠化粧材（戸尻側枠化粧材）
１８  枠化粧材（上側枠化粧材）
２０  扉体
３０  扉体本体
３１  扉枠
３１ａ  縦枠材（戸先側縦枠材）
３１ｂ  縦枠材（戸尻側縦枠材）
３１ｃ  枠材
３１ｆ  扉窓
３１ｇ  複層ガラス
３１ｈ  開口部
３１ｉ  扉窓枠
３２  化粧板（屋内側化粧板）
３３  化粧板（屋外側化粧板）
３４  断熱材
３５  把手
３６  ドアクローザ
４０  パネル体
４１  化粧板（屋内側化粧板）
４２  化粧板（屋外側化粧板）
４３  コア
５０  丁番
５１  上軸受
５２  下軸
５３  上支持片
５４  下支持片
６０  丁番カバー
６１  第１側片
６２  第２側片
６３  第３側片
６４  挿通孔
７０  補強材
７１  第１側片
７２  第２側片
７３  第３側片
７４  挿通孔
７５  係合部
７６  段差部
７６ａ  第１側片
７６ｂ  第２側片
８０  取付ネジ
８１  収容空間
８２  接続片
８２ａ  第１側片
８２ｂ  第２側片
【図１】
0006489806.tif 000002
【図２】
0006489806.tif 000003
【図３】
0006489806.tif 000004
【図４】
0006489806.tif 000005
【図５】
0006489806.tif 000006
【図６】
0006489806.tif 000007